(57)【要約】【課題】簡単な構成で、各ディスプレイ装置の表示サイズ及び表示位置を自動的に調整すること。【解決手段】映像信号から一つの映像を各ディスプレイ装置に表示する際に、ディスプレイ装置の調整部１１ａによって調整された映像の表示サイズ及び表示位置と、調整情報生成部１２ａによって生成された調整前の映像の表示サイズ及び表示位置との調整情報を残りの他のディスプレイ装置１１ｂ，１１ｃに出力する。【選択図】図１
2013156371.tif 000002
【特許請求の範囲】
【請求項１】
表示すべき映像の表示サイズ及び表示位置を、映像信号に基づいて調整する調整手段を有する複数のディスプレイ装置によって一つの映像を表示するマルチディスプレイ装置において、
上記映像信号から一つの映像を各ディスプレイ装置に表示する際に、任意の一つのディスプレイ装置の調整手段によって調整された映像の調整情報を生成する調整情報生成手段と、
上記調整情報生成手段によって生成された調整情報を、残りの他のディスプレイ装置に出力する調整情報出力手段とを備え、
上記残りの他のディスプレイ装置が有する調整手段は、
上記調整情報出力手段から出力された調整情報に基づいて、表示すべき映像の表示サイズ及び表示位置を調整することを特徴とするマルチディスプレイ装置。
【請求項２】
上記他のディスプレイ装置が有する調整手段は、
上記調整情報出力手段から出力された調整情報に基づいて、映像の表示位置の修正のみ行うことを特徴とする請求項１に記載のマルチディスプレイ装置。
【請求項３】
上記調整情報出力手段は、
出力する調整情報として、表示サイズを調整する際に拡大縮小の起点を設定する情報を含んでいることを特徴とする請求項１または２に記載のマルチディスプレイ装置。
【請求項４】
上記他のディスプレイ装置が有する調整手段は、
上記調整情報出力手段から出力された調整情報に基づいて、
上記拡大縮小の起点の設定に従って、各々のディスプレイ装置のうち表示サイズ及び表示位置の修正を行うものと、表示サイズ及び表示位置の修正を行わないものとを判別することを特徴とする請求項３に記載のマルチディスプレイ装置。
【請求項５】
上記調整情報出力手段は、
出力する調整情報として、調整された映像の表示サイズ及び表示位置と、調整前の映像の表示サイズ及び表示位置との変化量の情報を含んでいることを特徴とする請求項１〜４の何れか１項に記載のマルチディスプレイ装置。
【請求項６】
上記各ディスプレイ装置と通信可能なサーバを備え、
上記調整情報生成手段及び上記調整情報出力手段は、上記サーバ内に設置されていることを特徴とする請求項１〜５の何れか１項に記載のマルチディスプレイ装置。
【請求項７】
上記サーバが、上記複数のディスプレイ装置の中の少なくとも一つのディスプレイ装置であることを特徴とする請求項６に記載のマルチディスプレイ装置。
【請求項８】
表示すべき映像の表示サイズ及び表示位置を、映像信号に基づいて調整する調整手段を有する複数のディスプレイ装置によって一つの映像を表示する表示調整方法において、
上記映像信号から一つの映像を各ディスプレイ装置に表示する際に、任意の一つのディスプレイ装置の調整手段によって調整された映像の調整情報を生成する調整情報生成工程と、
上記調整情報生成工程によって生成された調整情報を、残りの他のディスプレイ装置に出力する調整情報出力工程とを含み、
上記残りの他のディスプレイ装置が有する調整手段は、
上記調整情報出力工程によって出力された調整情報に基づいて、表示すべき映像の表示サイズ及び表示位置を調整することを特徴とする表示調整方法。
【請求項９】
コンピュータに、請求項８に記載の表示調整方法に含まれる各工程を実行させるための表示調整プログラム。
【請求項１０】
請求項９に記載の表示調整プログラムを記録したコンピュータ読み取り可能な記録媒体。
【発明の詳細な説明】
【技術分野】
【０００１】
本発明は、複数のディスプレイ装置によって一つの映像を表示させるマルチディスプレイ装置に関する。
【背景技術】
【０００２】
マルチディスプレイ装置は、複数のディスプレイ装置からなり、これら複数のディスプレイ装置によって一つの映像を表示させる表示装置である。マルチディスプレイ装置を用いれば、例えば一つのディスプレイ装置では表示できない大きな映像の表示が可能となる。
【０００３】
近年、携帯電話やスマートフォン等の小型のディスプレイ装置が広く流通し、小型のディスプレイ装置を複数合わせてマルチディスプレイ装置を構築するといった需要が、今後、増えると見込まれる。
【０００４】
図１０（ａ）は、一般的なマルチディスプレイ装置の一表示形態を示した図である。
【０００５】
図１０（ｂ）は、図１０（ａ）に示す全体映像１００１を映し出すためのマルチディスプレイ装置の全体構成を示した図である。
【０００６】
図１０（ａ）に示す全体映像１００１は、マルチディスプレイ装置全体に表示したい映像の全体を表す。また、部分映像１００２〜１００５は、図１０（ｂ）に示すマルチディスプレイ装置を構成する同サイズのディスプレイ装置１００６〜１００９にそれぞれ表示したい部分映像であって、全体映像１００１から切り出す部分映像を表す。
【０００７】
通常、マルチディスプレイ装置を構成する各ディスプレイ装置の間にはディスプレイ装置の枠や設置間隔等が存在するため、表示可能な領域の間には必然的に表示不可能な隙間ができてしまうことになる。図１０（ｂ）に示すように、マルチディスプレイ装置の各ディスプレイ１００６〜１００９の間にもこのような隙間があるため、部分映像１００２〜１００５は、全体映像１００１から隙間を残して切り出されている。
【０００８】
このように、複数のディスプレイ装置によって一つの映像を表示する場合、全体映像から個々のディスプレイ装置に表示すべき部分映像のサイズや位置を適切に設定し調整する必要があり、これが適切で無いとマルチディスプレイ装置全体として表示する映像に歪みが発生する。
【０００９】
従来のマルチディスプレイ装置では、マルチディスプレイ装置を構成する個々のディスプレイ装置を手動で表示調整していたが、それには手間がかかるという問題がある。
【００１０】
図１１は、一般的なマルチディスプレイ装置の他の構成例を示した図である。
【００１１】
図１１に示すマルチディスプレイ装置は、図１０（ｂ）に示すマルチディスプレイ装置とは異なり、異なるサイズのディスプレイ装置２００１〜２００３を組み合わせた構成となっている。この場合、図１０（ａ）に示す全体映像１００１を表示する場合、ディスプレイ装置２００１〜２００３にそれぞれ表示される部分映像はそれぞれ異なる大きさに切り出されている。このように、個々のディスプレイ装置のサイズが異なるときは、図１１に示すように、各ディスプレイ装置に表示される部分映像も異なるサイズに切り出す必要があり、上記のような調整に更に手間がかかるという問題がある。
【００１２】
そこで、マルチディスプレイ装置を構成している個々のディスプレイ装置を自動的に表示調整する技術が特許文献１や２等に開示されている。
【００１３】
特許文献１には、マルチディスプレイ装置を構成している個々のディスプレイ装置のサイズや位置に基づいて、各ディスプレイ装置における映像の表示サイズや表示位置を自動的に表示調整する技術が開示されている。
【００１４】
一方、特許文献２には、ディスプレイ装置に装着マーカーや表示したパターンを外部からカメラで認識し、所定の処理を加えることで個々のディスプレイのサイズや位置を判定して、各ディスプレイ装置における映像の表示サイズや表示位置を自動的に表示調整する技術が開示されている。
【先行技術文献】
【特許文献】
【００１５】
【特許文献１】特開２００６−２４３２００号公報（２００６年９月１４日公開）
【特許文献２】特開平８    −１２６０１８号公報（１９９６年５月１７日公開）
【発明の概要】
【発明が解決しようとする課題】
【００１６】
ところで、特許文献１に開示された技術では、マルチディスプレイ装置を構成する個々のディスプレイ装置の表示サイズや配置位置を正確に把握しておく必要がある。このため、例えば、昨今、使用者が増えてきたスマートフォン等を個々人が所有するものを持ち寄って、表示画面を合わせてマルチディスプレイにしたい、というような需要には、特許文献１に開示された技術を適用することができなかった。これは、特許文献１に開示された技術では、マルチディスプレイ装置を構成する各ディスプレイ装置におけるサイズや配置位置が未知である場合には対応できないためである。
【００１７】
一方、特許文献２に開示された技術では、特許文献１とは異なり、マルチディスプレイ装置を構成する各々のディスプレイ装置における表示サイズや配置位置が未知であっても、映像の表示サイズ及び表示位置を自動表示調整を行なうことが可能となる。
【００１８】
しかしながら、特許文献２に開示された技術では、ディスプレイ装置に設置するマーカー、表示するパターンや外部カメラを別途用意する必要があり、装置が複雑化し、しかも、実施にコストがかかるといった問題が生じる。
【００１９】
本発明は、上記の各問題点に鑑みなされたものであって、その目的は、ディスプレイ装置の表示サイズや配置位置が未知である状況でも、簡単な構成で、各ディスプレイ装置の映像の表示サイズ及び表示位置を自動的に調整することができるマルチディスプレイ装置を提供することにある。
【課題を解決するための手段】
【００２０】
本発明のマルチディスプレイ装置は、上記課題を解決するために、
表示すべき映像の表示サイズ及び表示位置を、映像信号に基づいて調整する調整手段を有する複数のディスプレイ装置によって一つの映像を表示するマルチディスプレイ装置において、
上記映像信号から一つの映像を各ディスプレイ装置に表示する際に、任意の一つのディスプレイ装置の調整手段によって調整された映像の調整情報を生成する調整情報生成手段と、
上記調整情報生成手段によって生成された調整情報を、残りの他のディスプレイ装置に出力する調整情報出力手段とを備え、
上記残りの他のディスプレイ装置が有する調整手段は、
上記調整情報出力手段から出力された調整情報に基づいて、表示すべき映像の表示サイズ及び表示位置を調整することを特徴としている。
【００２１】
上記の構成によれば、映像信号から一つの映像を各ディスプレイ装置に表示する際に、任意の一つのディスプレイ装置の調整手段によって調整された映像の調整情報を、残りの他のディスプレイ装置に出力することで、他のディスプレイ装置が有する調整手段は、上記調整情報に基づいて、表示すべき映像の表示サイズ及び表示位置を調整することになる。
【００２２】
これにより、一つのディスプレイ装置における映像の表示サイズ及び表示位置を調整した際に、他のディスプレイ装置における映像の表示サイズ及び表示位置が連動して自動的に調整されることになり、この結果、各ディスプレイ装置に対して、１台ずつ映像の表示サイズ及び表示位置を調整する場合に比べて調整の手間を軽減できる。
【００２３】
つまり、一つのディスプレイ装置における映像の表示サイズ及び表示位置から、他の全てのディスプレイ装置における映像の表示サイズ及び表示位置を調整することが可能となるので、自動で各ディスプレイ装置の表示サイズ及び表示位置を調整することができる。
【００２４】
従って、全てのディスプレイ装置における映像の表示サイズや表示位置の詳細を事前に把握しておかなくても、自動で各ディスプレイ装置の表示サイズ及び表示位置が調整される。
【００２５】
また、映像の表示サイズ及び表示位置の調整に使用するのは、一つのディスプレイ装置における映像の表示サイズ及び表示位置であるので、従来のように、マーカーや外部カメラを使わずに済む。
【００２６】
以上のことから、上記構成のマルチディスプレイ装置によれば、一つのディスプレイ装置において映像の表示サイズ及び表示位置の調整を行った際に、他のディスプレイ装置の映像の表示サイズ及び表示位置の調整が連動して自動的に行われることにより、他のディスプレイ装置で表示サイズ及び表示位置の調整をする手間が軽減されるか、あるいは不要になるため、それぞれのディスプレイ装置を個別に調整するよりも簡便に、かつ特殊な機器を使う必要もなく、表示サイズ及び表示位置の調整が可能となる。
【００２７】
よって、上記構成のマルチディスプレイ装置によれば、簡単な構成で、自動で各ディスプレイ装置の映像の表示サイズ及び表示位置を調整することができる。
【００２８】
上記他のディスプレイ装置が有する調整手段は、
上記調整情報出力手段から出力された調整情報に基づいて、映像の表示位置の修正のみ行うことを特徴としている。
【００２９】
これにより、他のディスプレイ装置において表示される映像の表示サイズや表示位置の不要な調整を行なうことが無くなるので、マルチディスプレイ装置全体での表示調整にかかる時間を短縮できる。
【００３０】
上記調整情報出力手段は、
出力する調整情報として、表示サイズを調整する際に拡大縮小の起点を設定する情報を含んでいることを特徴としている。
【００３１】
上記の構成によれば、上記調整情報出力手段によって出力される調整情報として、表示サイズを調整する際に拡大縮小の起点を設定する情報が出力されることで、調整手段は、他のディスプレイ装置において表示すべき映像の表示サイズ及び表示位置を調整する際に、上記起点に基づいて拡大縮小を行なうようになるので、映像の表示サイズ及び表示位置を適切に調整することができる。
【００３２】
上記他のディスプレイ装置が有する調整手段は、
上記調整情報出力手段から出力された調整情報に基づいて、
上記拡大縮小の起点の設定に従って、各々のディスプレイ装置のうち表示サイズ及び表示位置の修正を行うものと、表示サイズ及び表示位置の修正を行わないものとを判別することを特徴としている。
【００３３】
これにより、他のディスプレイ装置において表示される映像の表示サイズや表示位置の不要な調整を行なうことが無くなるので、マルチディスプレイ装置全体での表示調整にかかる時間を短縮できる。
【００３４】
上記調整情報出力手段は、
出力する調整情報として、調整された映像の表示サイズ及び表示位置と、調整前の映像の表示サイズ及び表示位置との変化量の情報を含んでいることを特徴としている。
【００３５】
上記の構成によれば、上記調整情報出力手段によって出力される調整情報として、調整された映像の表示サイズ及び表示位置と、調整前の映像の表示サイズ及び表示位置との変化量が出力されることで、調整手段は、他のディスプレイ装置において表示すべき映像の表示サイズ及び表示位置を調整する際に、上記変化量に基づいて調整を行なうようになるので、映像の表示サイズ及び表示位置を適切に調整することができる。
【００３６】
本発明のマルチディスプレイ装置は、上記課題を解決するために、
上記各ディスプレイ装置と通信可能なサーバを備え、
上記調整情報生成手段及び上記調整情報出力手段は、上記サーバ内に設置されていることを特徴としている。
【００３７】
上記の構成によれば、通常、各ディスプレイ装置で必要となり、マルチディスプレイ装置を構成するディスプレイ装置の数だけ必要になる調整情報生成手段及び調整情報出力手段を、一つの調整情報生成手段及び調整情報出力手段によって代替することができる。つまり、個々のディスプレイ装置の構成が簡単なものになる。
【００３８】
以上のことから、上記構成のマルチディスプレイ装置によれば、簡単な構成で、自動で各ディスプレイ装置の表示サイズ及び表示位置を調整することができる。
【００３９】
上記サーバが、上記複数のディスプレイ装置の中の少なくとも一つのディスプレイ装置であることを特徴としている。
【００４０】
上記の構成によれば、ディスプレイ装置の中の少なくとも一つがサーバとしても機能し、各ディスプレイ装置は、サーバ機能を持つディスプレイ装置を介して調整情報を他のディスプレイ装置とやりとりすることができる。
【００４１】
本発明の表示調整方法は、上記課題を解決するために、
表示すべき映像の表示サイズ及び表示位置を、映像信号に基づいて調整する調整手段を有する複数のディスプレイ装置によって一つの映像を表示する表示調整方法において、
上記映像信号から一つの映像を各ディスプレイ装置に表示する際に、任意の一つのディスプレイ装置の調整手段によって調整された映像の調整情報を生成する調整情報生成工程と、
上記調整情報生成工程によって生成された調整情報を、残りの他のディスプレイ装置に出力する調整情報出力工程とを含み、
上記残りの他のディスプレイ装置が有する調整手段は、
上記調整情報出力工程によって出力された調整情報に基づいて、表示すべき映像の表示サイズ及び表示位置を調整することを特徴としている。
【００４２】
上記の構成によれば、映像信号から一つの映像を各ディスプレイ装置に表示する際に、任意の一つのディスプレイ装置の調整手段によって調整された映像の調整情報を、残りの他のディスプレイ装置に出力することで、他のディスプレイ装置が有する調整手段は、上記調整情報に基づいて、表示すべき映像の表示サイズ及び表示位置を調整することになる。
【００４３】
これにより、一つのディスプレイ装置における映像の表示サイズ及び表示位置を調整した際に、他のディスプレイ装置における映像の表示サイズ及び表示位置が連動して自動的に調整されることになり、この結果、各ディスプレイ装置に対して、１台ずつ映像の表示サイズ及び表示位置を調整する場合に比べて調整の手間を軽減できる。
【００４４】
つまり、一つのディスプレイ装置における映像の表示サイズ及び表示位置から、他の全てのディスプレイ装置における映像の表示サイズ及び表示位置を調整することが可能となるので、自動で各ディスプレイ装置の表示サイズ及び表示位置を調整することができる。
【００４５】
従って、全てのディスプレイ装置における映像の表示サイズや表示位置の詳細を事前に把握しておかなくても、自動で各ディスプレイ装置の表示サイズ及び表示位置が調整される。
【００４６】
また、映像の表示サイズ及び表示位置の調整に使用するのは、一つのディスプレイ装置における映像の表示サイズ及び表示位置であるので、従来のように、マーカーや外部カメラを使わずに済む。
【００４７】
以上のことから、上記構成のマルチディスプレイ装置によれば、一つのディスプレイ装置において映像の表示サイズ及び表示位置の調整を行った際に、他のディスプレイ装置の映像の表示サイズ及び表示位置の調整が連動して自動的に行われることにより、他のディスプレイ装置で表示サイズ及び表示位置の調整をする手間が軽減されるか、あるいは不要になるため、それぞれのディスプレイ装置を個別に調整するよりも簡便に、かつ特殊な機器を使う必要もなく、表示サイズ及び表示位置の調整が可能となる。
【００４８】
よって、上記構成のマルチディスプレイ装置によれば、簡単な構成で、自動で各ディスプレイ装置の映像の表示サイズ及び表示位置を調整することができる。
【００４９】
また、上記の表示調整方法は、汎用的なコンピュータによって実行するようにしてもよい。その場合には、下記のような構成となる。
【００５０】
本発明の表示調整プログラムは、コンピュータに、上記表示調整方法に含まれる各工程を実行させる表示調整プログラムである。
【００５１】
また、上記表示調整プログラムをコンピュータ読み取り可能な記録媒体に記録するようにすれば、汎用的なコンピュータによって、表示調整プログラムを容易に実行することが可能となる。
【発明の効果】
【００５２】
本発明は、以上のように、ディスプレイ装置において表示すべき映像の表示サイズ及び表示位置を、映像信号に基づいて調整する調整手段と、上記映像信号から一つの映像を各ディスプレイ装置に表示する際に、任意の一つのディスプレイ装置の調整手段によって調整された映像の調整情報を生成する調整情報生成手段と、上記調整情報生成手段によって生成された調整情報を、残りの他のディスプレイ装置に出力する調整情報出力手段とを備えていることで、簡単な構成で、自動で各ディスプレイ装置の表示サイズ及び表示位置を調整することができるという効果を奏する。
【図面の簡単な説明】
【００５３】
【図１】本発明の一実施形態に係るマルチディスプレイ装置の概略構成ブロック図である。
【図２】大きさの異なるディスプレイ装置を組み合わせてマルチディスプレイを構成した例を示す図である。
【図３】本発明に係るマルチディスプレイ装置の表示調整原理を示す図である。
【図４】表示位置及び表示サイズにズレがある状態を示す図である。
【図５】左側のディスプレイ装置の表示サイズを調整した状態を示す図である。
【図６】右側のディスプレイ装置の表示サイズを調整した状態を示す図である。
【図７】中央のディスプレイ装置の表示位置を調整した状態を示す図である。
【図８】右側のディスプレイ装置の表示位置を調整した状態を示す図である。
【図９】本発明の他の実施形態に係るマルチディスプレイ装置の概略構成ブロック図である。
【図１０】一般的なマルチディスプレイ装置の一表示形態を示した図である。
【図１１】一般的なマルチディスプレイ装置の他の表示形態を示した図である。
【発明を実施するための形態】
【００５４】
〔実施の形態１〕
本発明の一実施形態について説明すれば、以下の通りである。
【００５５】
＜マルチディスプレイ装置＞
図１は、本実施の形態に係るマルチディスプレイ装置１の概略構成ブロック図である。
【００５６】
本実施の形態では、図１に示すように、マルチディスプレイ装置１が、ディスプレイ装置１ａ、１ｂ及び１ｃの３つのディスプレイ装置により構成された場合について説明する。
【００５７】
また、本実施の形態では、図２に示すように、タブレット端末等であるような比較的大きいサイズのディスプレイ装置１ｂと、その両側に、スマートフォン等であるような比較的小さいサイズのディスプレイ装置１ａ及びディスプレイ装置１ｃを組み合わせた場合について説明する。
【００５８】
上記各ディスプレイ装置は、相互に通信できるように設けられている。この通信方式にとしては、例えば、通信距離が短い場合、通信方式として、無線ＬＡＮやＢｌｕｅｔｏｏｔｈ（登録商標）等を用いる。しかしながら、これら通信方式に限定されるものではなく、各々のディスプレイ装置から他のディスプレイ装置に必要な情報を伝えることのできる通信方式であればどのような通信方式であってもよい。
【００５９】
また、上記情報は、表示サイズ及び表示位置の変化量の情報や、表示サイズを調整する際に拡大縮小の起点を設定する情報を含んでいても良く、他のディスプレイ装置を調整するのに必要な情報を含んだ情報であればどのような情報であってもよい。
【００６０】
図１に示すように、上記ディスプレイ装置１ａは、調整部１１ａ、調整情報生成部１２ａ、調整情報出力部１３ａを備え、上記ディスプレイ装置１ｂは、調整部１１ｂ、調整情報生成部１２ｂ、調整情報出力部１３ｂを備え、上記ディスプレイ装置１ｃは、調整部１１ｃ、調整情報生成部１２ｃ、調整情報出力部１３ｃを備えている。
【００６１】
上記調整部１１ａ、調整部１１ｂ、調整部１１ｃは、それぞれ同じ機能であり、上記調整情報生成部１２ａ、調整情報生成部１２ｂ、調整情報生成部１２ｃも、それぞれ同じ機能であり、さらに、上記調整情報出力部１３ａ、調整情報出力部１３ｂ、調整情報出力部１３ｃも、それぞれ同じ機能である。
【００６２】
上記ディスプレイ装置１ａの調整情報出力部１３ａは、ディスプレイ装置１ｂの調整部１１ｂへ接続され、ディスプレイ装置１ｂの調整情報出力部１３ｂは、ディスプレイ装置１ｃの調整部１１ｃへ接続され、ディスプレイ装置１ｃの調整情報出力部１３ｃは、ディスプレイ装置１ａの調整部１１ａへ接続される構成をとり、順次、１のディスプレイ装置で生成した上記調整情報を、他のディスプレイ装置へ伝達できる構成をとっている。
【００６３】
ここでは、代表して、ディスプレイ装置１ａの構成要素である、調整部１１ａ、調整情報生成部１２ａ、調整情報出力部１３ａについて説明する。
【００６４】
上記調整部１１ａは、映像信号の入力を受け、これに基づいてディスプレイ装置１ａに表示すべき映像の表示サイズ及び表示位置を調整する。
【００６５】
上記調整情報生成部１２ａは、上記調整部１１ａで調整された映像の調整情報を生成する。
【００６６】
上記調整情報出力部１３ａは、上記調整情報生成部１２ａにより生成された調整情報を、残りの他のディスプレイ装置１ｂ、１ｃに出力する。
【００６７】
なお、図１では、各ディスプレイ装置に調整情報生成部及び調整情報出力部を保持している形態を示したが、これに限らず、調整情報生成部及び／または調整情報出力部を保持しない形態であっても良い。つまり、マルチディスプレイ装置１のどこかに、調整情報生成部及び／または調整情報出力部を保持するような形態であってもよい。
【００６８】
＜表示調整原理についての説明＞
本発明の表示調整原理について以下に説明する。なお、説明の便宜上、上記マルチディスプレイ装置１の２つのディスプレイ装置１ａ及び１ｂにおける映像の表示サイズ及び表示位置の調整について説明する。
【００６９】
図３（ａ）（ｂ）は、本発明に係るマルチディスプレイ装置１の表示調整原理を示す図である。
【００７０】
図３（ａ）に示すように、全体映像１００からの部分映像切り出し範囲１０１は、ディスプレイ装置１ａに表示する部分映像の切り出し範囲である。部分映像切り出し範囲１０２は、ディスプレイ装置１ｂに表示する部分映像の切り出し範囲である。部分映像切り出し範囲１０１と部分映像切り出し範囲１０２の間には、各ディスプレイ装置の枠を意識したマージンをとっている。ここでは、部分映像切り出し範囲１０１の切り出し開始位置を０ピクセル（ＰＸ）として、部分映像切り出し範囲１０１を横軸に３００ピクセル（ＰＸ）、マージンを１０ピクセル（ＰＸ）として、当該部分映像切り出し範囲１０２の切り出し開始位置を３１０ピクセル（ＰＸ）とする。
【００７１】
ここで、図３（ｂ）に示すように、ディスプレイ装置１ａで表示の拡大を行った場合、ディスプレイ装置１ａのサイズは変わらないため、部分映像切り出し範囲１０１は狭くなる。つまり、部分映像切り出し範囲１０１は、２５０ピクセル（ＰＸ）となり、マージンの１０ピクセル（ＰＸ）を加えて、部分映像切り出し範囲１０２の切り出し開始位置が２６０ピクセル（ＰＸ）となる。この後に何らかの処理を行わないのであれば、部分映像切り出し範囲１０１と部分映像切り出し範囲１０２の間に隙間ができてしまうことになる。このように、部分映像切り出し範囲１０２の切り出し開始位置を元の３１０ピクセル（ＰＸ）から２６０ピクセル（ＰＸ）に変更するような計算を行う。なお、この場合、部分映像切り出し範囲１０１の切り出し開始位置を０ピクセル（ＰＸ）のまま変更していない。
【００７２】
＜表示調整処理＞
次に、上記構成のマルチディスプレイ装置１におけるディスプレイ装置１ａ〜１ｃでの映像の表示サイズ及び表示位置の調整処理（以下、表示調整と称する）について説明する。
【００７３】
ディスプレイ装置１ａ〜１ｃでの映像の表示サイズ及び表示位置の表示調整を行う場合、まず、何らかの手段によって、上記ディスプレイ装置１ａ〜１ｃの並び順やおおよその位置関係などを指定する必要がある。例えばマルチディスプレイ装置を構成するディスプレイ装置の台数、各ディスプレイ装置の大よその画面サイズ、配置位置などをグラフィカルに表示したユーザインタフェース上で指定させる方法などが考えられる。
【００７４】
なお、マルチディスプレイ装置を構成する各ディスプレイ装置の並び順やおおよその位置関係などを指定することは、一般的に行なわれることであるので、上記の指定方法の詳細な説明を省略する。
【００７５】
ところで、マルチディスプレイ装置を構成する各ディスプレイ装置の並び順やおおよその位置関係などの指定が手動であれ半自動であれ、正確に各ディスプレイ装置の大きさ及び配置位置を指定することは困難であるので、上記の指定直後の状態では各ディスプレイ装置に表示されている部分画像（映像）の表示位置及び表示サイズにはズレがあることが避けられず、映像の表示位置及びサイズの調整が必須となる。
【００７６】
図４は、上記指定直後のディスプレイ装置１ａ〜１ｃにおいて、映像の表示位置及び表示サイズにズレがある状態を模式的に表している図である。
【００７７】
具体的には、中央のディスプレイ装置１ｂに比べて左側のディスプレイ装置１ａに表示されている文字が大きく、右側のディスプレイ装置１ｃに表示されている文字は更に大きい状態を示している。
【００７８】
以下、本発明によりマルチディスプレイ装置の表示サイズ及び表示位置を調整する手順の例を説明する。
【００７９】
ここで、表示サイズ調整の目標は、中央のディスプレイ装置１ｂに揃えるものとする。
【００８０】
まず、左側のディスプレイ装置１ａの映像の表示サイズを調整する。この際、調整部１１ａは、左側のディスプレイ装置１ａの左端であり、ディスプレイ装置１ａ〜１ｃで構成されるマルチディスプレイ装置全体の左端でもある箇所を起点として拡大縮小を行って映像の表示サイズを調整する。これにより、中央のディスプレイ装置１ｂ及び右側のディスプレイ装置１ｃでは、左側のディスプレイ装置１ａの映像の表示サイズの調整結果に従って映像の表示位置が自動的に調整される。このとき、中央のディスプレイ装置１ｂ及び右側のディスプレイ装置１ｃの表示サイズは調整されない。
【００８１】
上記表示調整により、左側のディスプレイ装置１ａの表示サイズを中央のディスプレイ装置１ｂの表示サイズに合わせるよう調整した結果を図５に示す。
【００８２】
図５は、左側のディスプレイ装置１ａの表示サイズを中央のディスプレイ装置１ｂの表示サイズに合わせる調整をした状態を模式的に表している図である。
【００８３】
図５では、ユーザは左側のディスプレイ装置１ａの映像の表示サイズを縮小するように当該ディスプレイ装置１ａに指示し、中央及び右側のディスプレイ装置１ｂ、１ｃは上記ユーザ指示による左側のディスプレイ装置１ａの表示サイズ変更に伴って自動的に表示位置が左側（ディスプレイ装置１ａ側）に平行移動した表示となっていることを示している。
【００８４】
ここで、左側のディスプレイ装置１ａの調整情報生成部１２ａは、調整部１１ａによって調整された映像の表示サイズと、調整前の映像の表示サイズとの変化量（調整情報）を計算し、後段の調整情報出力部１３ａに送る。
【００８５】
上記調整情報出力部１３ａは、計算した変化量（調整情報）を中央のディスプレイ装置１ｂを介して右側のディスプレイ装置１ｃに出力する。
【００８６】
このように、表示調整を行なうことで、左側のディスプレイ装置１ａの映像の表示サイズの変更を行った際に、それに伴って必要となる、マルチディスプレイ装置１を構成する他のディスプレイ装置１ｂ、１ｃの映像の表示位置の変更作業を不要ないし軽減することを実現している。
【００８７】
次に、図５に示す表示状態で、右側のディスプレイ装置１ｃの映像の表示サイズを調整する。この際、調整部１１ｃは、左側のディスプレイ装置１ａの調整情報出力部１３ａからの変化量（調整情報）に応じて表示調整を行なう。すなわち、右側のディスプレイ装置１ｃの左端であり、ディスプレイ装置１ａ〜１ｃで構成されるマルチディスプレイ装置１全体としては、中央のディスプレイ装置１ｂと右側のディスプレイ装置１ｃの間に相当する箇所を起点として起点として拡大縮小を行って映像の表示サイズを調整する。このとき、左側のディスプレイ装置１ａ及び中央のディスプレイ装置１ｂは右側のディスプレイ装置１ｃの表示調整の影響を受けない。
【００８８】
上記のように表示調整を行なうことで、右側のディスプレイ装置１ｃの映像の表示サイズの調整を行った際に、それに伴ってマルチディスプレイ装置１を構成する他のディスプレイ装置１ａ、１ｂの映像の表示位置の変更作業の必要が発生しないことを実現としている。
【００８９】
上記ディスプレイ装置１ｃの表示サイズの調整をした結果を模式的に示せば、図６に示すようになる。
【００９０】
図６では、ディスプレイ装置１ａ〜１ｃのすべてにおいて、表示サイズが同様になっている状態を模式的に表している。
【００９１】
以上のように、図４に示すように、マルチディスプレイ装置１を構成するディスプレイ装置１ａ〜１ｃにおいて、それぞれの映像の表示サイズが異なるような場合であっても、上記表示調整によれば、図６に示すように、ディスプレイ装置１ａ〜１ｃのすべてにおいて、表示サイズが同様になっている状態とするまでの処理を簡易に、且つ迅速に行うことが可能となる。
【００９２】
しかも、上記表示調整によれば、ディスプレイ装置１ａ〜１ｃの表示サイズや配置位置を予め知らなくても、適切に表示調整を行なうことが可能であるので、ディスプレイ装置１ａ〜１ｃの表示サイズや配置位置を検出するためのマーカーやカメラなどの外部の部材を使用する必要がない。この結果、簡易な構成のマルチディスプレイ装置を実現することができる。
【００９３】
ところで、図６に示す状態では、各ディスプレイ装置における映像の表示サイズ及び表示位置が揃っているものの、ディスプレイ装置１ａと１ｂとの間、ディスプレイ装置１ｂと１ｃとの間に隙間があるため、表示される映像によっては、マルチディスプレイ装置として表示させた場合に、表示に歪が生じる場合がある。
【００９４】
例えば、図６では、映像としては、各ディスプレイ装置間のつながりがあるが、ディスプレイ装置１ａと１ｂとの間に隙間があるため、表示されている文字「Ｆ」と「Ｇ」との間隔が他の文字間隔よりも広くなっているため、表示に歪が生じているように見える。
【００９５】
同様に、図６では、映像としては、各ディスプレイ装置間のつながりがあるが、ディスプレイ装置１ｂと１ｃとの間に隙間があるため、表示されている文字「Ｎ」と「Ｏ」との間隔が他の文字間隔よりも広くなっているため、表示に歪が生じているように見える。
【００９６】
つまり、図６では、ディスプレイ装置間の隙間が表示されることにより、マルチディスプレイ装置において表示される全体の映像に歪が生じているように見える。
【００９７】
ここで、各ディスプレイ装置間の隙間をなくすことはハードウェア的に難しいため、表示に歪が生じないように、ソフトウェアにより解決することが考えられる。
【００９８】
以下では、ディスプレイ装置間の隙間部分を表示させずに、マルチディスプレイ装置全体の表示の歪みをなくすための手順を、図６に示す表示状態から更にディスプレイ装置１ｂ及び１ｃの映像の表示位置の調整を行う手順によって説明する。ここでは、左側のディスプレイ装置１ａの映像の表示位置は調整不要とみなし、中央及び右側のディスプレイ装置１ｂ、１ｃの映像の表示位置を調整する場合について説明する。
【００９９】
まず、中央のディスプレイ装置１ｂの映像の表示位置を調整する。
【０１００】
この際、左側のディスプレイ装置１ａの映像の表示位置は変更されず、右側のディスプレイ装置１ｃの映像の表示位置は中央のディスプレイ装置１ｂの映像の表示位置の変化量（調整情報）に合わせて、自動的に平行移動して調整されるものとする。
【０１０１】
具体的には、上記表示位置の調整を行なった結果を模式的に示せば、図７に示すようになる。
【０１０２】
図７は、中央のディスプレイ装置１ｂの表示位置を調整した状態を模式的に表している。
【０１０３】
図７では、左側のディスプレイ装置１ａと中央のディスプレイ装置１ｂとの隙間に文字「Ｇ」が隠れ表示されなくなっているが、左側のディスプレイ装置１ａに表示されている部分映像と中央のディスプレイ装置１ｂに表示されている部分映像を合わせて一つの映像とみなした際には、映像の歪みが解消されていることが分かる。
【０１０４】
これは、図６に示すように、左側のディスプレイ装置１ａの右端の文字「Ｆ」と中央のディスプレイ装置１ｂの左端の文字「Ｇ」との間が他の文字間隔よりも広いことにより生じている歪が、図７に示すように、左側のディスプレイ装置１ａと中央のディスプレイ装置１ｂとの間に生じている隙間に仮想的に「Ｇ」が表示されることで、他の文字間隔よりも広いことにより生じている歪が生じないためである。
【０１０５】
図７に示す場合、未だ、中央のディスプレイ装置１ｂの右端の文字「Ｎ」と右側のディスプレイ装置１ｃの左端の文字「Ｏ」との間が他の文字間隔よりも広いことにより歪が生じている。
【０１０６】
次に、右側のディスプレイ装置１ｃの表示位置を調整する。
【０１０７】
この際、左側のディスプレイ装置１ｃ及び中央のディスプレイ装置１ｂの映像の表示サイズ及び表示位置は変更されないものとする。
【０１０８】
具体的には、中央のディスプレイ装置１ｂの右端の文字「Ｎ」と右側のディスプレイ装置１ｃの左端の文字「Ｐ」との間に「Ｏ」を仮想的に表示させるように、右端のディスプレイ装置１ｃの映像を左側に移動させる。
【０１０９】
上記表示位置の調整を行なった結果を模式的に示せば、図８に示すようになる。
【０１１０】
図８は、右側のディスプレイ装置１ｃの表示位置を調整した状態を模式的に表している。
【０１１１】
図８では、図７で文字「Ｇ」が表示されなくなっていることに加えて、中央のディスプレイ装置１ｂと右側のディスプレイ装置１ｃの隙間に文字「Ｏ」が隠れ表示されなくなっている。つまり、中央のディスプレイ装置１ｂと右側のディスプレイ装置１ｃとの間に生じている隙間に仮想的に「Ｏ」が表示されることで、他の文字間隔よりも広いことにより生じている歪が生じない。
【０１１２】
従って、ディスプレイ装置１ａ〜ディスプレイ装置１ｃに表示されている部分映像を合わせて一つの映像とみなした際には、映像の歪みが解消されている。
【０１１３】
なお、上述の手順に加えて、全体映像を一つと考えて、その全体映像を拡大縮小や並行移動するように全てのディスプレイ装置において同時に表示サイズ及び表示位置を変更することや、各ディスプレイ装置において独立に表示サイズ及び表示位置を変更することを組み合わせても良い。
【０１１４】
＜効果について＞
本実施の形態に係るマルチディスプレイ装置１は、上述のように表示調整することで、マルチディスプレイ装置１を構成している一つのディスプレイ装置で表示調整し、この表示調整結果を、マルチディスプレイ装置を構成する他のディスプレイ装置における表示調整に使用するため、各ディスプレイ装置における個別の表示調整が不要になるか、あるいは、表示調整の必要性を軽減できる効果を奏する。
【０１１５】
〔実施の形態２〕
本発明の他の実施形態について説明すれば、以下の通りである。
【０１１６】
なお、本実施の形態では、前記実施の形態１において各ディスプレイ装置が備えていた調整情報生成部と調整情報出力部を、これらディスプレイ装置とは別に設けられたサーバに備えた例について説明する。
【０１１７】
＜サーバを用いたマルチディスプレイ装置＞
図９は、本実施の形態に係るマルチディスプレイ装置２の概略構成ブロック図である。
【０１１８】
本実施の形態では、図９に示すように、マルチディスプレイ装置２は、ディスプレイ装置２ａ、ディスプレイ装置２ｂ及びディスプレイ装置２ｃのように３つのディスプレイ装置で構成された場合について説明する。
【０１１９】
ディスプレイ装置２ａ〜２ｃは、上述の実施の形態１の図１におけるディスプレイ装置１ａ〜１ｃに備えられている調整部、調整情報生成部及び調整情報出力部のうち、調整部のみを備えている。本実施例において、調整情報生成部と調整情報出力部は、ディスプレイ装置２ａ〜２ｃとは別に設けられたサーバ３に設けられている。
【０１２０】
上記サーバ３は、上記ディスプレイ装置２ａ〜２ｃと通信可能であり、調整情報生成部３２と調整情報出力部３３とを備えている。これら、調整情報生成部３２と調整情報出力部３３は、それぞれ上述の実施の形態１の図１における調整情報生成部１２ａ〜１２ｃと調整情報出力部１３ａ〜１３ｃと同じ機能を有しているので、機能説明の詳細については省略する。
【０１２１】
上記ディスプレイ装置２ａ〜２ｃは、相互に通信可能なように設けられている。この通信方式としては、例えば、通信距離が短い場合、通信方式として、無線ＬＡＮやＢｌｕｅｔｏｏｔｈ（登録商標）等を用いる。しかしながら、これら通信方式に限定されるものではなく、各々のディスプレイ装置から他のディスプレイ装置に必要な情報を伝えることのできる通信方式であればどのような通信方式であってもよい。
【０１２２】
また、各々のディスプレイ装置とサーバ３との間の通信方式についても、相互に必要な情報を伝えることができる通信方式であればどのような通信方式であってもよい。
【０１２３】
上記調整情報生成部３２は、ディスプレイ装置２ａ〜２ｃがそれぞれ備えている調整部２１ａ〜２１ｃによる調整結果が入力され、調整結果に基づいて生成した調整情報を調整情報出力部３３に出力するようになっている。
【０１２４】
上記調整情報出力部３３は、入力された調整情報をディスプレイ装置２ａ〜２ｃがそれぞれ備えている調整部２１ａ〜２１ｃに出力するようになっている。
【０１２５】
なお、上記調整情報生成部３２では、ディスプレイ装置２ａ〜２ｃ全ての調整部２１ａ〜２１ｃからの調整結果を受けて調整情報を生成するのではなく、何れか一つのディスプレイ装置の調整部からの調整結果を受けて調整情報を生成する。
【０１２６】
そして、上記調整情報出力部３３では、入力された調整情報を、この調整情報を求めたディスプレイ装置の調整部以外の残りのディスプレイ装置の調整部２１ａ〜２１ｃに出力する。
【０１２７】
これにより、任意の一つのディスプレイ装置の表示調整結果が残りの他のディスプレイ装置に自動で伝わることになる。
【０１２８】
このように、調整情報の生成と他のディスプレイ装置への調整情報の出力をディスプレイ装置とは別に設けられたサーバ３１に集中化させても良い。
【０１２９】
上記構成のマルチディスプレイ装置２は、ディスプレイ装置２ａ〜２ｃとは別に設けたサーバ３１に、調整情報生成部３２と調整情報出力部３３を設けているが、表示調整機能としては前記実施の形態１のマルチディスプレイ装置１における表示調整機能と同じである。
【０１３０】
また、上記サーバ３は、上記ディスプレイ装置に組み込まれたサーバプログラムによりソフトウェア的に実現されるものであっても良い。なお、サーバまたはサーバとして動作するサーバプログラムを組み込んだディスプレイ装置は、マルチディスプレイ装置の中に一つだけ存在するものでも、複数あるものでも良い。
【０１３１】
＜効果について＞
本実施の形態のマルチディスプレイ装置２によれば、サーバ３に、調整情報生成部３２、調整情報出力部３３を設けることにより、ディスプレイ装置２ａ〜２ｃにおける調整情報生成部及び調整情報出力が不要になり、前記実施の形態とは異なり、少なくとも映像の表示サイズ及び表示位置を調整する調整部を備えたディスプレイ装置を用いることにより、マルチディスプレイ装置２を構成することができる。
【０１３２】
つまり、機能が限定されるような小型のディスプレイ装置、例えば携帯端末装置によっても簡単にマルチディスプレイ装置を構成することが可能となる。
【０１３３】
なお、実施の形態１、２では、マルチディスプレイ装置を構成する各ディスプレイ装置における映像の表示サイズ及び表示位置がそれぞれ異なる場合を例にしたため、表示調整の処理において、何れも拡大縮小の処理を行っていることを説明したが、これに限定されるものではなく、調整部は、他のディスプレイ装置における調整結果から得られた調整情報に基づいて、拡大縮小の起点の設定に従って、各々のディスプレイ装置のうち表示サイズ及び表示位置の修正を行うものと、表示サイズ及び表示位置の修正を行わないものとを判別するようにしてもよい。
【０１３４】
これにより、他のディスプレイ装置において表示される映像の表示サイズや表示位置の不要な調整を行なうことが無くなるので、マルチディスプレイ装置全体での表示調整にかかる時間を短縮できるという効果を奏する。
【０１３５】
また、調整部は、他のディスプレイ装置における調整結果から得られた調整情報に基づいて、映像の表示位置の修正のみ行うようにしてもよい。
【０１３６】
＜置換可能性について＞
なお、上述の実施の形態１、２では、マルチディスプレイ装置が３つのディスプレイ装置により構成される場合について説明したが、これに限るものではない。マルチディスプレイ装置が２つのディスプレイ装置により構成されてもよく、３つよりも多くのディスプレイ装置により構成されても良い。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３８】
本発明は、複数のディスプレイ装置を組み合わせて一つの映像を表示させるマルチディスプレイ装置に用いることができ、特に、携帯端末同士のように、それぞれの携帯端末の表示サイズや配置位置が未知のマルチディスプレイ装置に好適に用いることができる。
【符号の説明】
【０１３９】
１          マルチディスプレイ装置
１ａ        ディスプレイ装置
１ｂ        ディスプレイ装置
１ｃ        ディスプレイ装置
１１ａ      調整部（調整手段）
１１ｂ      調整部（調整手段）
１１ｃ      調整部（調整手段）
１２ａ      調整情報生成部（調整情報生成手段）
１２ｂ      調整情報生成部（調整情報生成手段）
１２ｃ      調整情報生成部（調整情報生成手段）
１３ａ      調整情報出力部（調整情報出力手段）
１３ｂ      調整情報出力部（調整情報出力手段）
１３ｃ      調整情報出力部（調整情報出力手段）
１００      全体映像
１０１      部分映像切り出し範囲
１０２      部分映像切り出し範囲
１０３      部分映像切り出し範囲
２          マルチディスプレイ装置
２ａ        ディスプレイ装置
２ｂ        ディスプレイ装置
２ｃ        ディスプレイ装置
２１ａ      調整部（調整手段）
２１ｂ      調整部（調整手段）
２１ｃ      調整部（調整手段）
３          サーバ
３２        調整情報生成部（調整情報生成手段）
３３        調整情報出力部（調整情報出力手段）
【図１】
2013156371.tif 000003
【図２】
2013156371.tif 000004
【図３】
2013156371.tif 000005
【図４】
2013156371.tif 000006
【図５】
2013156371.tif 000007
【図６】
2013156371.tif 000008
【図７】
2013156371.tif 000009
【図８】
2013156371.tif 000010
【図９】
2013156371.tif 000011
【図１０】
2013156371.tif 000012
【図１１】
2013156371.tif 000013